(57)【要約】【課題】片手のみを用いた簡単な操作で、ソフトキーボードを含む、デジタルマップ、写真画像等のデジタルコンテンツの所望する部分を拡大表示および縮小表示することが可能な表示装置および表示プログラムを提供すること。【解決手段】コンテンツを表示するコンテンツ表示手段と、加速度値および加速度方向を含む加速度情報を前記携帯機器が備える加速度センサーから取得する加速度情報取得手段と、前記表示したコンテンツを前記取得した加速度方向に対して拡大表示または縮小表示するように前記コンテンツ表示手段を制御する表示制御手段とを備える。【選択図】図３
2013140469.tif 000002
【特許請求の範囲】
【請求項１】
携帯機器が備える表示装置において、
コンテンツを表示するコンテンツ表示手段と、
加速度値および加速度方向を含む加速度情報を前記携帯機器が備える加速度センサーから取得する加速度情報取得手段と、
前記表示したコンテンツを前記取得した加速度方向に対して拡大表示または縮小表示するように前記コンテンツ表示手段を制御する表示制御手段と、
を備えることを特徴とする表示装置。
【請求項２】
前記コンテンツがソフトキーボードであって、前記加速度情報取得手段により加速度情報を取得した場合、前記加速度情報に含まれる加速度方向のキーに対応する文字情報を入力する文字情報入力手段と、
を備えることを特徴とする請求項１に記載の表示装置。
【請求項３】
前記表示制御手段は、前記文字情報入力手段により文字情報が入力された場合、前記コンテンツを元のサイズに戻すように制御することを特徴とする請求項２に記載の表示装置。
【請求項４】
前記表示制御手段は、前記拡大表示するように制御した後の所定時間、前記加速度情報取得手段が加速度情報を取得しない場合、前記コンテンツを元のサイズに戻すように制御することを特徴とする請求項１または２に記載の表示装置。
【請求項５】
前記表示制御手段は、前記取得した加速度値に対応する拡大率または縮小率で、前記拡大表示または縮小表示するように制御することを特徴とする請求項１乃至４の何れか１項に記載の表示装置。
【請求項６】
前記表示制御手段は、前記取得した加速度値の絶対値が所定値以上の場合、前記拡大表示または縮小表示するように制御することを特徴とする請求項１乃至５の何れか１項に記載の表示装置。
【請求項７】
前記コンテンツがソフトキーボードの場合、前記表示制御手段は、前記取得した加速度方向に対応する前記ソフトキーボード上の任意のキーを中心にして前記拡大表示または縮小表示するように制御することを特徴とする請求項１に記載の表示装置。
【請求項８】
前記コンテンツがデジタルマップの場合、前記表示制御手段は、前記取得した加速度方向に対応する前記デジタルマップ上の任意の地点を中心にして前記拡大表示または縮小表示するように制御することを特徴とする請求項１に記載の表示装置。
【請求項９】
前記コンテンツが写真画像の場合、前記表示制御手段は、前記取得した加速度方向に対応する前記写真画像上の任意の画素を中心にして前記拡大表示または縮小表示するように制御することを特徴とする請求項１に記載の表示装置。
【請求項１０】
コンテンツを携帯機器が備える表示装置に表示させる表示プログラムにおいて、
前記携帯機器のコンピュータに、
前記コンテンツを表示し、
前記携帯機器に与えられた加速度値および加速度方向を含む加速度情報を前記携帯機器が備える加速度センサーから取得し、
前記表示したコンテンツを前記取得した加速度方向に対して拡大表示または縮小表示させる、
ことを特徴とする表示プログラム。
【発明の詳細な説明】
【技術分野】
【０００１】
本発明は、小型の携帯機器が備える表示装置および表示プログラムに関し、特に、携帯機器が備える表示装置の画面上に表示されたソフトキーボード、デジタルマップ、写真画像等のデジタルコンテンツを、画面内で拡大表示または縮小表示する表示装置および表示プログラムに関する。
【背景技術】
【０００２】
従来、ＰＣ（Personal Computer）等の情報処理装置は、キーボードやポインティングデバイス等の入力装置、ＣＰＵ（Central Processing Unit：中央処理装置）やメインメモリを含むＰＣ本体、ディスプレイやプリンター等の出力装置を備えている。情報処理装置が備える出力装置は、デジタルマップや写真画像等の様々なデジタルコンテンツを表示することができる。また、表示装置の画面上にソフトキーボードを表示し、入力装置としての機能を持たせたものが知られている（例えば、特許文献１、２参照。）。ソフトキーボードとは、キーボードの機能をソフトウェアで実現したものであり、画面上にキーボードの絵を表示し、マウスカーソル等で各キーを指定することにより、各キー（ソフトキー）上に表示されている文字の入力を行なうものである。
【０００３】
図１６は、従来の文字入力を説明するための図である。
タッチパネルを搭載した情報処理装置の場合、図１６に示すように、スタイラスペン（図１６（Ａ））や操作者の指（図１６（Ｂ））等を用いて各キーを指定することができる。
【０００４】
他方、携帯電話、ＰＨＳ（Personal Handy-phone System）、スマートフォン、デジタルカメラ、電子書籍端末、ポータブルナビゲーションシステム、ＰＤＡ（Personal Digital Assistant：携帯情報端末）等の小型の携帯機器においては、物理的な制約があるため画面領域の大型化には限界がある。そのため、携帯機器が備える表示装置には、ソフトキーボードの全体を表示させることが極めて困難である。すなわち、ソフトキーボード全体を表示させた場合には、各キーが極めて小さくなってしまい、視認性および操作性が悪くなってしまう。デジタルマップや写真画像の場合も同様であり、小さな画面領域では視認性が悪い。
【０００５】
そこで、携帯機器が備える出力装置にデジタルマップや写真画像等を表示させる場合には、それらの一部を拡大表示させることが頻繁に行われる。特に、携帯機器の入力装置としてソフトキーボードを用いた場合には、表示させるべきソフトキーボードの一部を拡大表示させ、表示されている一部のキーを指定することにより文字の入力を行っている。
【０００６】
これらのデジタルコンテンツの一部を拡大表示させるために、例えば、タッチパネルを搭載した携帯機器では、操作者の２本の指を画面に触れたまま指の間隔を広げる操作、所謂ピンチアウトを行う。あるいは、画面上に存在する拡大ボタンを押下またはタップすることにより拡大表示を行う。また、拡大表示されているソフトキーボード等を元のサイズに縮小表示するためには、操作者の２本の指を画面に触れたまま指の間隔を狭める操作、所謂ピンチインを行う。あるいは、画面上に存在する縮小ボタンを押下またはタップすることにより縮小表示を行う。
【先行技術文献】
【特許文献】
【０００７】
【特許文献１】特開２００４−３５５６０６号公報
【特許文献２】特開２００７−１３３８３５号公報
【発明の概要】
【発明が解決しようとする課題】
【０００８】
しかしながら、ピンチアウトで拡大表示したりピンチインで縮小表示したりする場合、一方の手で携帯機器を持ち、他方の手の指でピンチアウトまたはピンチインの操作を行わなければならなかった。また、タップ等で拡大表示する場合は、片手で操作することも可能であるが、操作者が所望する部分を拡大表示するためには、拡大表示の中心を指示した後に拡大表示の指示を行う必要があった。何れにしても、ソフトキーボードを含む、デジタルマップ、写真画像等のデジタルコンテンツを画面内で拡大表示または縮小表示するための操作が煩雑である、という問題点があった。
【０００９】
本発明は、上述のような実状に鑑みたものであり、片手のみを用いた簡単な操作で、ソフトキーボードを含む、デジタルマップ、写真画像等のデジタルコンテンツの所望する部分を拡大表示および縮小表示することが可能な表示装置および表示プログラムを提供することを目的とする。
【課題を解決するための手段】
【００１０】
本発明は、上記課題を解決するため、下記のような構成を採用した。
すなわち、本発明の一態様によれば、本発明の表示装置は、携帯機器が備える表示装置において、コンテンツを表示するコンテンツ表示手段と、加速度値および加速度方向を含む加速度情報を前記携帯機器が備える加速度センサーから取得する加速度情報取得手段と、前記表示したコンテンツを前記取得した加速度方向に対して拡大表示または縮小表示するように前記コンテンツ表示手段を制御する表示制御手段とを備えることを特徴とする。
【００１１】
また、本発明の表示装置は、前記コンテンツがソフトキーボードであって、前記加速度情報取得手段により加速度情報を取得した場合、前記加速度情報に含まれる加速度方向のキーに対応する文字情報を入力する文字情報入力手段を備えることが望ましい。
【００１２】
また、本発明の表示装置は、前記表示制御手段が、前記文字情報入力手段により文字情報が入力された場合、前記コンテンツを元のサイズに戻すように制御することが望ましい。
【００１３】
また、本発明の表示装置は、前記表示制御手段が、前記拡大表示するように制御した後の所定時間、前記加速度情報取得手段が加速度情報を取得しない場合、前記コンテンツを元のサイズに戻すように制御することが望ましい。
【００１４】
また、本発明の表示装置は、前記表示制御手段が、前記取得した加速度値に対応する拡大率または縮小率で、前記拡大表示または縮小表示するように制御することが望ましい。
また、本発明の表示装置は、前記表示制御手段が、前記取得した加速度値の絶対値が所定値以上の場合、前記拡大表示または縮小表示するように制御することが望ましい。
【００１５】
また、本発明の表示装置は、前記コンテンツがソフトキーボードの場合、前記表示制御手段が、前記取得した加速度方向に対応する前記ソフトキーボード上の任意のキーを中心にして前記拡大表示または縮小表示するように制御することが望ましい。
【００１６】
また、本発明の表示装置は、前記コンテンツがデジタルマップの場合、前記表示制御手段が、前記取得した加速度方向に対応する前記デジタルマップ上の任意の地点を中心にして前記拡大表示または縮小表示するように制御することが望ましい。
【００１７】
また、本発明の表示装置は、前記コンテンツが写真画像の場合、前記表示制御手段が、前記取得した加速度方向に対応する前記写真画像上の任意の画素を中心にして前記拡大表示または縮小表示するように制御することが望ましい。
【００１８】
また、本発明の一態様によれば、本発明の表示プログラムは、コンテンツを携帯機器が備える表示装置に表示させる表示プログラムにおいて、前記携帯機器のコンピュータに、前記コンテンツを表示し、前記携帯機器に与えられた加速度値および加速度方向を含む加速度情報を前記携帯機器が備える加速度センサーから取得し、前記表示したコンテンツを前記取得した加速度方向に対して拡大表示または縮小表示させることを特徴とする表示プログラムである。
【発明の効果】
【００１９】
本発明によれば、携帯機器を持つ片手の手首をひねるというような簡単な操作で、ソフトキーボード、デジタルマップ、写真画像等のデジタルコンテンツの所望する部分を拡大表示することができるので、携帯機器が備える表示装置の小さな画面であってもデジタルコンテンツの所望する部分を容易に視認することができる、という効果を奏する。
【００２０】
また、本発明によれば、表示しているデジタルコンテンツがソフトキーボードの場合、携帯機器を持つ片手の手首をひねるというような簡単な操作で、所望するキー情報を容易に、かつ的確に入力することができる、という効果を奏する。
【００２１】
また、本発明によれば、携帯機器を持つ片手の手首をひねるというような簡単な操作で、デジタルコンテンツの所望する部分を拡大表示または縮小表示することができるので、拡大表示指示または縮小表示指示のためのタッチパネルを備える必要がない、という効果を奏する。
【００２２】
また、本発明によれば、表示しているデジタルコンテンツがソフトキーボードの場合、携帯機器を持つ片手の手首をひねるというような簡単な操作で、所望するキー情報を容易に、かつ的確に入力することができるので、キー情報入力のためのタッチパネルを備える必要がない、という効果を奏する。
【図面の簡単な説明】
【００２３】
【図１】本発明の実施形態に係る携帯機器の外観図である。
【図２】本発明の実施形態に係る携帯機器のハードウェア構成図である。
【図３】本発明の実施形態に係る表示装置の機能ブロック図である。
【図４】本発明の実施形態に係る表示装置で実行される表示処理の全体的な流れを示すフローチャートである。
【図５】携帯機器に加速度を与えた様子を示す図である。
【図６】パターン別の加速度値の例を示す図である。
【図７】拡大表示する前のソフトキーボードの例を示す図である。
【図８】第１段階の拡大で表示されるキーボードのパターンの例を示す図である。
【図９】第２段階の拡大で表示されるキーボードのパターンの例を示す図である。
【図１０】ソフトキーボードの表示処理の流れを示すフローチャートである。
【図１１】ソフトキーボードの表示処理における表示の変遷を示す図である。
【図１２】デジタルマップの表示処理における表示の変遷を示す図である。
【図１３】デジタルマップの表示処理の流れを示すフローチャートである。
【図１４】写真画像の表示処理における表示の変遷を示す図である。
【図１５】写真画像の表示処理の流れを示すフローチャートである。
【図１６】従来の文字入力を説明するための図である。
【発明を実施するための形態】
【００２４】
以下、本発明の実施の形態について、図面を参照しながら詳細に説明する。
まず、本発明の概略を説明する。
本発明が適用される表示装置は、携帯電話、ＰＨＳ、スマートフォン、デジタルカメラ、電子書籍端末、ポータブルナビゲーションシステム、ＰＤＡ等の小型の携帯機器が備えるディスプレイ装置である。このような表示装置を備える携帯機器は、例えば３軸の加速度センサーを内蔵している。表示装置は、携帯機器に与えられた加速度値および加速度方向を含む加速度情報をこの加速度センサーから取得する。そして、取得した加速度情報に基づいてソフトキーボード、デジタルマップ、写真画像等のデジタルコンテンツの表示を制御する。
【００２５】
例えば、操作者は、携帯機器を持つ手で携帯機器の各方向に加速度を与える。これにより、表示装置は、加速度情報を取得し、加速された方向およびその値の強弱に従ってソフトキーボード、デジタルマップ、写真画像等のデジタルコンテンツ上の特定部分の文字を拡大表示する。操作者の意図しない弱い加速度で、表示が変らないように、所定の閾値を持たせて、ある加速度値を超えた場合に表示を変更するようにする。デジタルコンテンツがソフトキーボードの場合、あたかもサイコロの各面にソフトキーボードの特定部分の文字を貼り付けて、携帯機器に与えられた加速度によって、サイコロが転がりソフトキーボードの表示が変るイメージを抱くと理解しやすい。
【００２６】
図１は、本発明の実施形態に係る携帯機器の外観図である。
図１において、携帯機器１００は、使用者により携帯されるスライド式の可搬型端末であって、様々な情報を表示する表示部１０を有している。携帯機器１００は、例えば携帯電話、ＰＨＳ、スマートフォン、デジタルカメラ、電子書籍端末、ポータブルナビゲーションシステム、ＰＤＡ等である。また、携帯機器１００は、表示部１０により表示された情報を操作者が操作するための複数の操作ボタンおよび操作ホイール等から構成される入力部２０を備えている。このようなスライド式の携帯機器１００は、第１の筐体１と第２の筐体２とがスライド機構によって互いにスライド可能に連結して構成されている。第１の筐体１の表面には表示部１０が配置され、第２の筐体２の表面には入力部２０が配置されている。
【００２７】
図２は、本発明の実施形態に係る携帯機器のハードウェア構成図である。
図２において、携帯機器１００は、ＣＰＵ３０、各種の制御プログラム等を格納したＲＯＭ（Read Only Memory）３１やＲＡＭ（Random Access Memory）３２、画像データやアプリケーションプログラム等を格納する記憶装置３３、上述の入力部２０を有する入力装置３４、上述の表示部１０を有する表示装置３５、外部との通信を行う通信装置３６、携帯機器１００に与えられた加速度の値および方向を検出し、検出結果をＣＰＵ３０に出力する加速度センサー３７を備えている。そして、これらの各構成要素３０乃至３７は、バス３８を介して接続され、ＣＰＵ３０により制御されている。
【００２８】
ここで、加速度センサー３７は、互いに直交するＸ軸方向、Ｙ軸方向およびＺ軸方向の加速度を検出する３軸（３次元）タイプであって、外部から加わった力（Ｆ）と質量（ｍ）に基づいて、加速度（ａ）を測定する（加速度（ａ）＝力（Ｆ）／質量（ｍ））。また、加速度センサー３７は、例えば、圧電素子によって所定の質量に加わる力を計測して軸ごとの加速度を求め、数値データ化してバッファリングする。そして、ＣＰＵ３０は、周期的にバッファリングされた加速度データを読み出す。なお、加速度センサー３７は、圧電素子を用いた圧電式に限らず、ピエゾ抵抗型、静電容量型、熱検知型等によるＭＥＭＳ（Micro Electro Mechanical Systems）式や、可動コイルを動かしてフィードバック電流によって元に戻すサーボ式や、加速度によって生じる歪を歪ゲージによって測定する歪ゲージ式等によって構成されてもよい。
【００２９】
図３は、本発明の実施形態に係る表示装置の機能ブロック図である。
図３において、表示装置３５は、上述したように携帯機器１００が備えている。そして、この表示装置３５は、コンテンツ表示部３５０、加速度情報取得部３５１、表示制御部３５２および文字情報入力部３５３を備える。
【００３０】
コンテンツ表示部３５０は、ソフトキーボード、デジタルマップ、写真画像等のデジタルコンテンツを表示する。
加速度情報取得部３５１は、加速度値および加速度方向を含む加速度情報を前記携帯機器１００が備える加速度センサー３７から取得する。
【００３１】
表示制御部３５２は、前記表示したデジタルコンテンツを前記取得した加速度方向に対して拡大表示または縮小表示するように前記コンテンツ表示部３５０を制御する。前記表示制御部３５２は、前記文字情報入力部３５３により文字情報が入力された場合、前記デジタルコンテンツを元のサイズに戻すように制御する。前記表示制御部３５２は、前記拡大表示するように制御した後の所定時間、前記加速度情報取得部３５１が加速度情報を取得しない場合、前記デジタルコンテンツを元のサイズに戻すように制御する。前記表示制御部３５２は、前記取得した加速度値に対応する拡大率または縮小率で、前記拡大表示または縮小表示するように制御すること。また、前記表示制御部３５２は、前記取得した加速度値の絶対値が所定値以上の場合、前記拡大表示または縮小表示するように制御する。
【００３２】
なお、前記デジタルコンテンツがソフトキーボードの場合、前記表示制御部３５２は、前記取得した加速度方向に対応する前記ソフトキーボード上の任意のキーを中心にして前記拡大表示または縮小表示するように制御する。また、前記デジタルコンテンツがデジタルマップの場合、前記表示制御部３５２は、前記取得した加速度方向に対応する前記デジタルマップ上の任意の地点を中心にして前記拡大表示または縮小表示するように制御する。また、前記デジタルコンテンツが写真画像の場合、前記表示制御部３５２は、前記取得した加速度方向に対応する前記写真画像上の任意の画素を中心にして前記拡大表示または縮小表示するように制御する。
【００３３】
文字情報入力部３５３は、前記デジタルコンテンツがソフトキーボードであって、前記加速度情報取得部３５１により加速度情報を取得した場合、前記加速度情報に含まれる加速度方向のキーに対応する文字情報を入力する。
【００３４】
図４は、本発明の実施形態に係る表示装置で実行される表示処理の全体的な流れを示すフローチャートである。
まず、ステップＳ４０１において、加速度値および加速度方向を含む加速度情報を前記携帯機器１００が備える加速度センサー３７から取得する。
【００３５】
ステップＳ４０２において、ステップＳ４０１で取得した加速度値の絶対値が所定の閾値（ＴＨ）より大きいか否かを判断する。操作者の意図しない弱い加速度（ＴＨ以下）で、表示が変らないようにするためである。
【００３６】
加速度値の絶対値がＴＨより大きくない場合、すなわち操作者が意図的に携帯機器１００に対して加速度を与えていない場合（ステップＳ４０２：Ｎｏ）、ステップＳ４０３において、後述するステップＳ４０６で拡大表示してから所定時間が経過したか否かを判断する。未だ拡大表示（ステップＳ４０６）されていない場合は、計時も開始（ステップＳ４０７）されていないので、ステップＳ４０１へ戻る。拡大表示（ステップＳ４０６）してから所定時間経過した場合（ステップＳ４０３：Ｙｅｓ）、ステップＳ４１０において、最初に表示されていたデジタルコンテンツのサイズに戻す。
【００３７】
他方、加速度値の絶対値がＴＨより大きい場合、すなわち操作者が意図的に携帯機器１００に対して加速度を与えたと判断できる場合（ステップＳ４０２：Ｙｅｓ）、ステップＳ４０４において、ステップＳ４０１で取得した加速度値のＺ方向成分が０（ゼロ）より大きいか否か、すなわちＺ軸の正の方向に与えられた加速度である負の方向に与えられた加速度であるかを判断する。
【００３８】
加速度値のＺ方向成分が０（ゼロ）より大きくないと判断された場合、すなわちＺ軸の負の方向に加速度が与えられた場合（ステップＳ４０４：Ｎｏ）、ステップＳ４０５において、現在表示されているデジタルコンテンツを拡大することが可能か否か、すなわち未だ最大の拡大率で表示されていないか否かを判断する。例えば、後述するように、表示されているデジタルコンテンツがソフトキーボードであって予め設定された最大の拡大率で拡大表示されている場合は、これ以上拡大することができないと判断（ステップＳ４０５：Ｎｏ）する。デジタルマップや写真画像も、最大の拡大率を予め定めておいてもよい。
【００３９】
拡大可能であると判断された場合（ステップＳ４０５：Ｙｅｓ）、ステップＳ４０６において、後述するように、加速度値のＸ方向成分およびＹ方向成分に対応する方向に対して、デジタルコンテンツを拡大表示する。そして、ステップＳ４０７において、計時を開始する。
【００４０】
他方、拡大可能でないと判断された場合（ステップＳ４０５：Ｎｏ）、ステップＳ４０８において、デジタルコンテンツがソフトキーボードであるか否かを判断する。ソフトキーボードであれば（ステップＳ４０８：Ｙｅｓ）、すなわち現在表示されている以上に拡大表示することができないソフトキーボードが表示されているということは、加速方向に一意に対応するキーのみを表示している状態であるので、ステップＳ４０９において、加速度方向のキーに対応する文字を入力する。この際、入力される文字を表示した１つのキーのみが拡大表示される。そして、ステップＳ４１０において、最初に表示されていたデジタルコンテンツのサイズに戻す。
【００４１】
ステップＳ４０４で加速度値のＺ方向成分が０より大きいと判断された場合、すなわちＺ軸の正の方向に加速度が与えられた場合（ステップＳ４０４：Ｙｅｓ）、ステップＳ４１１において、現在表示されているデジタルコンテンツを縮小することが可能か否か、すなわち現在拡大表示されているか否かを判断する。
【００４２】
縮小可能であると判断された場合（ステップＳ４１１：Ｙｅｓ）、ステップＳ４１２において、後述するように、加速度値のＸ方向成分およびＹ方向成分に対応する方向に対して、デジタルコンテンツを縮小表示する。
【００４３】
次に、本発明の具体的な使用方法について説明する。
本発明は、画面表示を変更し、操作者の入力補助および操作補助を行うものである。
本発明を適用させるため、携帯機器１００に対して事前に下記のような設定を行う。
【００４４】
［拡大表示の有無］
携帯機器１００を振った時にデジタルコンテンツの拡大表示を行うか否かを設定する。「有」を設定すると、携帯機器１００を振る方向に対応してデジタルコンテンツが拡大表示される。他方、「無」を設定すると、何れの方向に携帯機器１００を振ってもデジタルコンテンツは拡大表示されず、デフォルト（全てのデジタルコンテンツが同じ大きさ）のままとなる。
【００４５】
［サイズ変更］
デジタルコンテンツがソフトキーボードの場合に有効に設定される。ソフトキーボードを拡大表示後、一定の時間が過ぎるとデフォルトの大きさに戻す処理を行うか否かを設定する。「有」を設定すると、下記［経過時間］で設定した時間、ソフトキーボードが拡大表示され続け、その後デフォルトの大きさに戻る。「無」を設定すると、拡大表示されたソフトキーボードの大きさは戻らず、キーサイズは大きいままとなる。
【００４６】
［経過時間］
上記［サイズ変更］と同様、デジタルコンテンツがソフトキーボードの場合に有効に設定される。携帯機器１００が振られ、ソフトキーボードが大きく表示されてからデフォルトの大きさに戻るまでの時間を設定する。設定可能時間は、例えば１〜９９秒とする。ただし、途中で文字入力があった場合は経過時間がリセットされる。
【００４７】
［振りの強さ］
操作者に「パターンＡ」乃至「パターンＦ」まで順に拡大表示させる場合の振りを動作させ、最後に決定キーを押下することで、拡大表示の際の振りの強さ設定を行う。
【００４８】
図５は、携帯機器に加速度を与えた様子を示す図である。
図５において、携帯機器１００は、デジタルコンテンツとしてソフトキーボードを表示している。ソフトキーボードが表示された携帯機器１００を、操作者が所定の方向に振ることにより、携帯機器１００に加速度が与えられる。
【００４９】
図５に示すように、操作者が携帯機器１００の左側上部を下方（＋Ｚ方向）に傾けるように振ると、図８を用いて後述する「パターンＡ」部分のキーボードが拡大表示される。同様に、携帯機器１００の上部、右側上部、左側下部、下部、右側下部を、それぞれ下方（＋Ｚ方向）に傾けるように振ると、「パターンＢ」「パターンＣ」「パターンＤ」「パターンＥ」「パターンＦ」部分のキーボードが拡大表示される。
【００５０】
図６は、パターン別の加速度値の例を示す図である。
上述の各パターン（図８参照）は、図６に例示したようなＸ軸方向、Ｙ軸方向およびＺ軸方向の加速度が携帯機器１００に与えられることにより拡大表示される。例えば、「Ｘ軸方向」に「−２．５（Ｇ）」、「Ｙ軸方向」に「１．６（Ｇ）」、「Ｚ軸方向」に「−４．５（Ｇ）」の加速度が与えられると、携帯機器１００は、「パターンＡ」部分のキーボードを拡大表示する。
【００５１】
図７は、拡大表示する前のソフトキーボードの例を示す図である。
図７に例示したソフトキーボードは、日本語の５０音であるが、他の言語のソフトキーボードでも構わない。
【００５２】
図８は、第１段階の拡大で表示されるキーボードのパターンの例を示す図であり、図９は、第２段階の拡大で表示されるキーボードのパターンの例を示す図である。
図７に示したような「５０音」のソフトキーボードが表示された初期状態において、図５を用いて説明したように、例えば、操作者が携帯機器１００の左側上部を下方に傾けるように振る。すると、上記［拡大表示の有無］の設定で「有」が設定された場合、加速度センサー３７から加速度値を取得し、図８（Ａ）に示したように「あ」「い」「う」「か」「き」「く」「さ」「し」「す」「た」「ち」「つ」の１２文字から構成される「パターンＡ」部分のキーボードが拡大表示される。ここで、拡大表示する際には、加速度値が１（Ｇ）を超えるなどの設定ができるようにしておく。
【００５３】
同様に、操作者が携帯機器１００の左側下部を下方に傾けるように振ると、図８（Ｂ）に示したように「う」「え」「お」「く」「け」「こ」「す」「せ」「そ」「つ」「て」「と」の１２文字から構成される「パターンＤ」部分のキーボードが拡大表示される。
【００５４】
なお、図８には示していないが、操作者が携帯機器１００の全体を下方に振ると、「ち」「つ」「て」「に」「ぬ」「ね」「ひ」「ふ」「へ」「み」「む」「め」の１２文字から構成される部分のキーボードが拡大表示されるようにしてもよい。
【００５５】
このようにしてソフトキーボードが拡大表示された後、さらに携帯機器１００を振る動作を行うと、図９に示すようにさらに拡大表示が行われる。図９に示した例では、「パターンＡ」が表示（拡大表示）されている際に、操作者が携帯機器１００の左側上部を下方（＋Ｚ方向）に傾けるように振ると、図９（Ｃ）のように「あ」「い」「か」「き」の４文字から構成される「パターンＡＡ」部分のキーボードが拡大表示される。同様に、携帯機器１００の上部、右側上部、左側下部、下部、右側下部を、それぞれ下方（＋Ｚ方向）に傾けるように振ると、「パターンＡＢ」「パターンＡＣ」「パターンＡＤ」「パターンＡＥ」「パターンＡＦ」部分のキーボードが拡大表示される。
【００５６】
そして、さらに携帯機器１００を振る動作を行った場合、その方向のキーが拡大表示されると共に対応する文字が入力され、通常の表示に戻る。
このように、本発明を適用した表示装置３５を備える携帯機器１００は、タッチパネルや通常のキーボードを搭載する必要がないが、これらタッチパネルや通常のキーボードを搭載し、併用してもよい。
【００５７】
図１０は、ソフトキーボードの表示処理の流れを示すフローチャートである。
まず、ステップＳ１００１において、上述した拡大表示の設定を読み込み、ステップＳ１００２において、読み込んだ設定を適用する。そして、ステップＳ１００３において、ソフトキーボードの拡大率および表示位置を、デフォルトとして通常時に設定する。
【００５８】
ステップＳ１００４において、ソフトキーボードを表示し、ステップＳ１００５において、通常のキーボードによるキー入力が行われたか否かを判断する。
キー入力が行われた場合（ステップＳ１００５：Ｙｅｓ）、ステップＳ１００６において、拡大率および経過時間をリセットし、ステップＳ１００４に戻る。
【００５９】
他方、キー入力が行われていない場合（ステップＳ１００５：Ｎｏ）、ステップＳ１００７において、設定した経過時間を超過したか否かを判断する。
設定した経過時間を超過していれば（ステップＳ１００７：Ｙｅｓ）、ステップＳ１００６において、拡大率および経過時間をリセットし、ステップＳ１００４に戻る。
【００６０】
他方、設定した経過時間を超過していなければ（ステップＳ１００７：Ｎｏ）、ステップＳ１００８において、加速度センサー３７から所定値を越える加速度値を取得したか否かを判断する。
【００６１】
所定値を越える加速度値を取得していない場合（ステップＳ１００８：Ｎｏ）、ステップＳ１００４に戻り、所定値を越える加速度値を取得した場合（ステップＳ１００８：Ｙｅｓ）、ステップＳ１００９において、タッチパネルが押下されたか否かを判断する。
【００６２】
タッチパネルが押下された場合（ステップＳ１００９：Ｙｅｓ）、ステップＳ１００６において、拡大率および経過時間をリセットし、ステップＳ１００４に戻り、タッチパネルが押下されていない場合（ステップＳ１００９：Ｎｏ）、ステップＳ１０１０に進む。
【００６３】
そして、ステップＳ１０１０において、取得した加速度値のＺ軸成分が正（＋）の方向か負（−）の方向かを判断する。
正方向であれば（ステップＳ１０１０：＋方向）、ステップＳ１０１１において、ソフトキーボードが拡大表示されていれば縮小表示する。
【００６４】
他方、取得した加速度値のＺ軸成分が負方向であれば（ステップＳ１０１０：−方向）、ステップＳ１０１２において、現在表示しているソフトキーボードが通常（図７参照）か、拡大表示の１段階目（図８参照：パターンＡ等）か、２段階目（図９参照：パターンＡＡ等）かを判断する。
【００６５】
通常であれば（ステップＳ１０１２：通常）、ステップＳ１０１３において、取得した加速度値のＸ軸成分およびＹ軸成分に対応した方向へ、第１段階の拡大表示を行い、ステップＳ１０１７へ進む。また、拡大表示の１段階目であれば（ステップＳ１０１２：１段階目）、ステップＳ１０１４において、第１段階の拡大表示を行い、ステップＳ１０１７へ進む。また、拡大表示の２段階目であれば（ステップＳ１０１２：２段階目）、ステップＳ１０１５において、取得した加速度値のＸ軸成分およびＹ軸成分に対応した方向のキーに対応する文字情報を入力し、ステップＳ１０１６において、表示のリセットを行い、ステップＳ１０１７へ進む。そして、ステップＳ１０１７において、計時している経過時間をリセットし、ステップＳ１００４に戻る。
【００６６】
図１１は、ソフトキーボードの表示処理における表示の変遷を示す図である。
図１１（Ａ）に示すような通常のソフトキーボード（５０音）が表示されている状態において、携帯機器１００を持つ操作者の手が左側上部を下方に傾けて振られると、図１１（Ｂ）に示すように、パターンＡ（図８（Ａ）参照）、すなわち「あ」「い」「う」「か」「き」「く」「さ」「し」「す」「た」「ち」「つ」から構成されるキーボードの一部が拡大表示される。このとき、その他のキーは表示しない。
【００６７】
ここで、表示装置３５がタッチパネルを搭載している場合、「あ」をタッチすることで「あ」が入力され、その後、図１１（Ｃ）に示すような通常のソフトキーボードが表示されている状態に戻る。
【００６８】
次に、図１１（Ｃ）に示すような通常のソフトキーボードが表示されている状態において、携帯機器１００を持つ操作者の手が下部を下方に傾けて振られると、図１１（Ｄ）に示すように、パターンＥ（図８（Ｂ）参照）、すなわち「つ」「て」「と」「ぬ」「ね」「の」「ふ」「へ」「ほ」「む」「め」「も」から構成されるキーボードの一部が拡大表示される。このときも、その他のキーは表示しない。そして、一定時間キー入力がなかった場合、図１１（Ｅ）に示すように拡大表示を終わらせて通常の表示を行う。
【００６９】
図１２は、デジタルマップの表示処理における表示の変遷を示す図である。
図１２（Ａ）に示したような「地図」が表示された初期状態において、図５を用いて説明したように、例えば、操作者が携帯機器１００の左側上部を下方に傾けるように振る。すると、上記［拡大表示の有無］の設定で「有」が設定された場合、加速度センサー３７から加速度値を取得し、図１２（Ｂ）に示すように、その加速度が与えられた方向の「地図」が拡大表示される。ここで、拡大表示する際には、加速度値が１（Ｇ）を超えるなどの設定ができるようにしておく。
【００７０】
なお、加速度値のＸ軸成分およびＹ軸成分の大きさにしたがって、当該方向への移動距離を異ならせるようにしてもよい。すなわち、加速度値のＸ軸成分およびＹ軸成分が大きい場合には、図１２（Ａ）に示したような「地図」の中心から長距離の部分を中心にして、図１２（Ｃ）に示すような「地図」を拡大表示し、加速度値のＸ軸成分およびＹ軸成分が小さい場合には、図１２（Ａ）に示したような「地図」の中心から近距離の部分を中心にして、図１２（Ｂ）に示すような「地図」を拡大表示してもよい。
【００７１】
また、加速度値のＺ軸成分が小さい場合には、図１２（Ｂ）から（Ｃ）への表示のように、拡大表示せずに加速度値のＸ軸成分およびＹ軸成分の大きさに従って「移動」表示させてもよい。
【００７２】
図１３は、デジタルマップの表示処理の流れを示すフローチャートである。
まず、ステップＳ１３０１において、上述した拡大表示の設定を読み込み、ステップＳ１３０２において、読み込んだ設定を適用する。
【００７３】
ステップＳ１３０３において、デジタルマップを表示し、ステップＳ１３０４において、加速度センサー３７から所定値を越える加速度値を取得したか否かを判断する。
所定値を越える加速度値を取得していない場合（ステップＳ１３０４：Ｎｏ）、ステップＳ１３０３に戻り、所定値を越える加速度値を取得した場合（ステップＳ１３０４：Ｙｅｓ）、ステップＳ１３０５において、タッチパネルが押下されたか否かを判断する。
【００７４】
タッチパネルが押下された場合（ステップＳ１３０５：Ｙｅｓ）、ステップＳ１３０６において、リセット処理を実行し、ステップＳ１３０３に戻り、タッチパネルが押下されていない場合（ステップＳ１３０５：Ｎｏ）、ステップＳ１３０７に進む。
【００７５】
そして、ステップＳ１３０７において、取得した加速度値のＺ軸成分が正（＋）の方向か負（−）の方向かを判断する。
負方向であれば（ステップＳ１３０７：−方向）、ステップＳ１３０８において、取得した加速度値のＸ軸成分およびＹ軸成分に対応した方向へ拡大表示する。
【００７６】
他方、取得した加速度値のＺ軸成分が正方向であれば（ステップＳ１３０７：＋方向）、ステップＳ１３０９において、デジタルマップが拡大表示されていれば縮小表示する。
【００７７】
また、取得した加速度値のＺ軸成分が小さい（略０）場合（ステップＳ１３０７：なし）、ステップＳ１３１０において、取得した加速度値のＸ軸成分およびＹ軸成分の加速度値が所定値以上であるか否かを判断する。
【００７８】
所定値以上であれば（ステップＳ１３１０：あり）、ステップＳ１３１１において、拡大表示せずに加速度値のＸ軸成分およびＹ軸成分の大きさに従った「移動」表示を行い、所定値に満たない場合（ステップＳ１３１０：なし）、ステップＳ１３０３に戻る。
【００７９】
図１４は、写真画像の表示処理における表示の変遷を示す図である。
図１４（Ａ）に示したような「写真画像」が表示された初期状態において、図５を用いて説明したように、例えば、操作者が携帯機器１００の左側上部を下方に傾けるように振る。すると、上記［拡大表示の有無］の設定で「有」が設定された場合、加速度センサー３７から加速度値を取得し、図１４（Ｂ）に示すように、その加速度が与えられた方向の「写真画像」が拡大表示される。ここで、拡大表示する際には、加速度値が１（Ｇ）を超えるなどの設定ができるようにしておく。
【００８０】
なお、加速度値のＸ軸成分およびＹ軸成分の大きさにしたがって、当該方向への移動距離を異ならせるようにしてもよい。すなわち、加速度値のＸ軸成分およびＹ軸成分が大きい場合には、図１４（Ａ）に示したような「写真画像」の中心から長距離の部分を中心にして、図１４（Ｃ）に示すような「写真画像」を拡大表示し、加速度値のＸ軸成分およびＹ軸成分が小さい場合には、図１４（Ａ）に示したような「写真画像」の中心から近距離の部分を中心にして、図１４（Ｂ）に示すような「写真画像」を拡大表示してもよい。
【００８１】
また、加速度値のＺ軸成分が小さい場合には、図１４（Ｂ）から（Ｃ）への表示のように、拡大表示せずに加速度値のＸ軸成分およびＹ軸成分の大きさに従って「移動」表示させてもよい。
なお、移動を伴う「拡大表示」および「移動」表示の際に、「写真画像」の範囲外を表示させるような場合は、範囲外を表示しないように抑制する。
【００８２】
図１５は、写真画像の表示処理の流れを示すフローチャートである。
まず、ステップＳ１５０１において、上述した拡大表示の設定を読み込み、ステップＳ１５０２において、読み込んだ設定を適用する。
ステップＳ１５０３において、写真画像を表示し、ステップＳ１５０４において、加速度センサー３７から所定値を越える加速度値を取得したか否かを判断する。
【００８３】
所定値を越える加速度値を取得していない場合（ステップＳ１５０４：Ｎｏ）、ステップＳ１５０３に戻り、所定値を越える加速度値を取得した場合（ステップＳ１５０４：Ｙｅｓ）、ステップＳ１５０５において、タッチパネルが押下されたか否かを判断する。
【００８４】
タッチパネルが押下された場合（ステップＳ１５０５：Ｙｅｓ）、ステップＳ１５０６において、リセット処理を実行し、ステップＳ１５０３に戻る。リセット処理では、写真画像の表示を１００％表示とするが、表示領域より大きい写真画像を表示していた場合は、１００％表示とせず、画面に表示できる大きさで表示する。他方、タッチパネルが押下されていない場合（ステップＳ１５０５：Ｎｏ）、ステップＳ１５０７に進む。
【００８５】
そして、ステップＳ１５０７において、取得した加速度値のＺ軸成分が正（＋）の方向か負（−）の方向かを判断する。
負方向であれば（ステップＳ１５０７：−方向）、ステップＳ１５０８において、取得した加速度値のＸ軸成分およびＹ軸成分に対応した方向へ拡大表示し、ステップＳ１５１２に進む。
【００８６】
他方、取得した加速度値のＺ軸成分が正方向であれば（ステップＳ１５０７：＋方向）、ステップＳ１５０９において、写真画像が拡大表示されていれば縮小表示し、ステップＳ１５１２に進む。
【００８７】
また、取得した加速度値のＺ軸成分が小さい（略０）場合（ステップＳ１５０７：なし）、ステップＳ１５１０において、取得した加速度値のＸ軸成分およびＹ軸成分の加速度値が所定値以上であるか否かを判断する。
【００８８】
所定値以上であれば（ステップＳ１５１０：あり）、ステップＳ１５１１において、拡大表示せずに加速度値のＸ軸成分およびＹ軸成分の大きさに従った「移動」表示を行い、ステップＳ１５１２に進む。他方、取得した加速度値のＸ軸成分およびＹ軸成分の加速度値が所定値に満たない場合（ステップＳ１５１０：なし）、ステップＳ１５０３に戻る。
【００８９】
そして、ステップＳ１５１２において、移動を伴う「拡大表示」や「縮小表示」、および「移動」表示の際に、「写真画像」の範囲外を表示させるような移動が行われようとしているか否かを判断する。範囲外を表示させようとしている場合（ステップＳ１５１２：Ｙｅｓ）、ステップＳ１５１３において、当該範囲外を表示しないように抑制する。なお、縮小表示しようとする際には、画像の範囲外を描画することはないので、本ステップＳ１５１２をスキップしてもよい。
【００９０】
以上、本発明の実施の形態を、図面を参照しながら説明してきたが、上述してきた本発明の実施の形態は、表示装置の一機能としてハードウェアまたはＤＳＰ（Digital Signal Processor）ボードやＣＰＵボードでのファームウェアもしくはソフトウェアにより実現することができる。
【００９１】
また、本発明が適用される表示装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００９２】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、表示装置に供給し、その表示装置のコンピュータがプログラムを読み出し実行することによっても、達成されることは言うまでもない。
【００９３】
この場合、可搬記録媒体等から読み出されたプログラム自体が本発明の新規な機能を実現することになり、そのプログラムを記録した可搬記録媒体等は本発明を構成することになる。
【００９４】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００９５】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００９６】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００９７】
すなわち、本発明は、以上に述べた実施の形態に限定されるものではなく、本発明の要旨を逸脱しない範囲内で種々の構成または形状を取ることができる。
【符号の説明】
【００９８】
１      第１の筐体
２      第２の筐体
１０      表示部
２０      入力部
３０      ＣＰＵ
３１      ＲＯＭ
３２      ＲＡＭ
３３      記憶装置
３４      入力装置
３５      表示装置
３６      通信装置
３７      加速度センサー
３８      バス
１００      携帯機器
３５０      コンテンツ表示部
３５１      加速度情報取得部
３５２      表示制御部
３５３      文字情報入力部
【図１】
2013140469.tif 000003
【図２】
2013140469.tif 000004
【図３】
2013140469.tif 000005
【図４】
2013140469.tif 000006
【図７】
2013140469.tif 000007
【図１０】
2013140469.tif 000008
【図１１】
2013140469.tif 000009
【図１３】
2013140469.tif 000010
【図１５】
2013140469.tif 000011
【図５】
2013140469.tif 000012
【図６】
2013140469.tif 000013
【図８】
2013140469.tif 000014
【図９】
2013140469.tif 000015
【図１２】
2013140469.tif 000016
【図１４】
2013140469.tif 000017
【図１６】
2013140469.tif 000018